【手続補正書】
【提出日】平成23年11月1日(2011.11.1)
【手続補正１】
【補正対象書類名】明細書
【補正対象項目名】発明の名称
【補正方法】変更
【補正の内容】
【発明の名称】ＡＣＫ／ＮＡＣＫ情報の送信方法及び送信装置並びにＡＣＫ／ＮＡＣＫ信号の送受信方法及び受信装置
【手続補正２】
【補正対象書類名】特許請求の範囲
【補正対象項目名】全文
【補正方法】変更
【補正の内容】
【特許請求の範囲】
【請求項１】
物理ハイブリッド自動再送要求指示チャネル（ＰＨＩＣＨ）を通じて応答／非応答（ＡＣＫ／ＮＡＣＫ）情報を送信する方法であって、
インデックスl'i (i=0,1,2)の直交周波数分割多重（ＯＦＤＭ）シンボルのリソースエレメントに前記ＡＣＫ／ＮＡＣＫ情報をマッピングし、
前記インデックスl'iのＯＦＤＭシンボルのリソースエレメントは、以下の式（１）
【数１】
2010519884.tif 000001
（NcellIDはセルＩＤを表し、n'l'iは前記インデックスl'iのＯＦＤＭシンボル内の利用可能なリソースエレメントグループ（ＲＥＧ）の個数を表し、n'0はインデックス０のＯＦＤＭシンボル内の利用可能なＲＥＧの個数を表し、m'は前記ＰＨＩＣＨが含まれるＰＨＩＣＨグループに関連するインデックスを表す。）
または、式（２）
【数２】
2010519884.tif 000002
（NcellIDはセルＩＤを表し、n'l'iは前記インデックスl'iのＯＦＤＭシンボル内の利用可能なＲＥＧの個数を表し、n'1はインデックス１のＯＦＤＭシンボル内の利用可能なＲＥＧの個数を表し、m'は前記ＰＨＩＣＨが含まれるＰＨＩＣＨグループに関連するインデックスを表す。）
【数３】
2010519884.tif 000003
【請求項２】
前記インデックスl'iは、以下の式
【数４】
2010519884.tif 000004
（m'は前記ＰＨＩＣＨが含まれる前記ＰＨＩＣＨグループに関連するインデックスを表す。）
を用いることにより与えられる、請求項１に記載のＡＣＫ／ＮＡＣＫ情報の送信方法。
【請求項３】
前記ＡＣＫ／ＮＡＣＫ情報は、拡散されたＡＣＫ／ＮＡＣＫ情報を含む、請求項１に記載のＡＣＫ／ＮＡＣＫ情報の送信方法。
【請求項４】
ＯＦＤＭシンボル内の利用可能なＲＥＧの個数は、前記ＯＦＤＭシンボル内の物理制御チャネル構成指示チャネル（ＰＣＦＩＣＨ）に割り当てられていないＲＥＧの個数と定義される、請求項１に記載のＡＣＫ／ＮＡＣＫ情報の送信方法。
【請求項５】
各ＲＥＧインデックスに対応するＲＥＧは、４つのリソースエレメントからなる、請求項１に記載のＡＣＫ／ＮＡＣＫ情報の送信方法。
【請求項６】
前記ＰＨＩＣＨは、各ＲＥＧインデックスに対応する前記リソースエレメントのうちの２つまたは４つのリソースエレメントを用いて送信される、請求項１に記載のＡＣＫ／ＮＡＣＫ情報の送信方法。
【請求項７】
前記ＡＣＫ／ＮＡＣＫ情報は、マルチアンテナを介して送信される、請求項１に記載のＡＣＫ／ＮＡＣＫ情報の送信方法。
【請求項８】
無線通信システムにおいて送信端を用いてＡＣＫ／ＮＡＣＫ信号を送信する方法であって、
拡散率（ＳＦ）４を有する複数の拡散コードを用いてＡＣＫ／ＮＡＣＫ情報を拡散し、
ＰＨＩＣＨグループに対応するＡＣＫ／ＮＡＣＫ信号を生成するために、拡散された前記ＡＣＫ／ＮＡＣＫ情報を多重化し、
【数５】
2010519884.tif 000005
（NcellIDはセルＩＤを表し、n'l'iはサブフレーム内におけるインデックスl'iのＯＦＤＭシンボル内の利用可能なＲＥＧの個数を表し、n'0は前記サブフレーム内におけるインデックス０のＯＦＤＭシンボル内の利用可能なＲＥＧの個数を表し、m'は前記ＰＨＩＣＨグループに関連するインデックスを表す。）
を用いて与えられることを特徴とする、ＡＣＫ／ＮＡＣＫ信号の送信方法。
【請求項９】
前記インデックスl'iは下記の式
【数６】
2010519884.tif 000006
（m'は前記ＰＨＩＣＨグループに関連するインデックスを表す。）
を用いて与えられる、請求項８に記載のＡＣＫ／ＮＡＣＫ信号の送信方法。
【請求項１０】
ＯＦＤＭシンボル内の利用可能なＲＥＧの個数は、前記ＯＦＤＭシンボル内のＰＣＦＩＣＨに割り当てられていないＲＥＧの個数と定義される、請求項８に記載のＡＣＫ／ＮＡＣＫ信号の送信方法。
【請求項１１】
各ＲＥＧインデックスに対応するＲＥＧは、４つのリソースエレメントからなる、請求項８に記載のＡＣＫ／ＮＡＣＫ信号の送信方法。
【請求項１２】
無線通信システムにおいて送信端を用いてＡＣＫ／ＮＡＣＫ信号を送信する方法であって、
拡散率（ＳＦ）２を有する複数の拡散コードを用いてＡＣＫ／ＮＡＣＫ情報を拡散し、
複数のＰＨＩＣＨグループに対応する複数のＡＣＫ／ＮＡＣＫ信号を生成するために、拡散された前記ＡＣＫ／ＮＡＣＫ情報を多重化し、
【数７】
2010519884.tif 000007
（NcellIDはセルＩＤを表し、n'l'iはサブフレーム内におけるインデックスl'iのＯＦＤＭシンボル内の利用可能なＲＥＧの個数を表し、n'1は前記サブフレーム内におけるインデックス１のＯＦＤＭシンボル内の利用可能なＲＥＧの個数を表し、m'は前記２つの連続するＰＨＩＣＨグループに関連するインデックスを表す。）
を用いて与えられることを特徴とする、ＡＣＫ／ＮＡＣＫ信号の送信方法。
【請求項１３】
前記インデックスl'iは以下の式
【数８】
2010519884.tif 000008
（m'は前記２つの連続するＰＨＩＣＨグループに関連するインデックスを表す。）
を用いて与えられる、請求項１２に記載のＡＣＫ／ＮＡＣＫ信号の送信方法。
【請求項１４】
ＯＦＤＭシンボル内の利用可能なＲＥＧの個数は、前記ＯＦＤＭシンボル内のＰＣＦＩＣＨに割り当てられていないＲＥＧの個数と定義される、請求項１２に記載のＡＣＫ／ＮＡＣＫ信号の送信方法。
【請求項１５】
各ＲＥＧインデックスに対応するＲＥＧは、４つのリソースエレメントからなる、請求項１２に記載のＡＣＫ／ＮＡＣＫ信号の送信方法。
【請求項１６】
ＰＨＩＣＨを通じて、送信端からＡＣＫ／ＮＡＣＫ信号を受信する方法であって、
前記送信端からリソースエレメントを含むＯＦＤＭシンボルを受信し、
【数９】
2010519884.tif 000009
（NcellIDはセルＩＤを表し、n'l'iはインデックスl'iのＯＦＤＭシンボル内の利用可能なＲＥＧの個数を表し、n'0はインデックス０のＯＦＤＭシンボル内の利用可能なＲＥＧの個数を表し、m'は前記ＰＨＩＣＨが含まれるＰＨＩＣＨグループに関連するインデックスを表す。）
または、式（２）
【数１０】
2010519884.tif 000010
（NcellIDはセルＩＤを表し、n'l'iはインデックスl'iのＯＦＤＭシンボル内の利用可能なＲＥＧの個数を表し、n'1はインデックス１のＯＦＤＭシンボル内の利用可能なＲＥＧの個数を表し、m'は前記ＰＨＩＣＨが含まれるＰＨＩＣＨグループに関連するインデックスを表す。）
のうちのいずれかを用いて与えられることを特徴とする、ＡＣＫ／ＮＡＣＫ信号の受信方法。
【請求項１７】
前記インデックスl'iは、以下の式
【数１１】
2010519884.tif 000011
（m'は前記ＰＨＩＣＨが含まれるＰＨＩＣＨグループに関連するインデックスを表す。）
を用いることにより与えられる、請求項１６に記載のＡＣＫ／ＮＡＣＫ信号の受信方法。
【請求項１８】
前記ＡＣＫ／ＮＡＣＫ信号は、拡散されたＡＣＫ／ＮＡＣＫ情報を含む、請求項１６に記載のＡＣＫ／ＮＡＣＫ信号の受信方法。
【請求項１９】
ＯＦＤＭシンボル内の利用可能なＲＥＧの個数は、前記ＯＦＤＭシンボル内のＰＣＦＩＣＨに割り当てられていないＲＥＧの個数と定義される、請求項１６に記載のＡＣＫ／ＮＡＣＫ信号の受信方法。
【請求項２０】
各ＲＥＧインデックスに対応するＲＥＧは、４つのリソースエレメントからなる、請求項１６に記載のＡＣＫ／ＮＡＣＫ信号の受信方法。
【請求項２１】
前記ＡＣＫ／ＮＡＣＫ信号は、各ＲＥＧインデックスに対応する前記リソースエレメントのうちの２つまたは４つのリソースエレメントを用いて受信される、請求項１６に記載のＡＣＫ／ＮＡＣＫ信号の受信方法。
【請求項２２】
前記ＡＣＫ／ＮＡＣＫ信号は、マルチアンテナを介して前記送信端から送信される、請求項１６に記載のＡＣＫ／ＮＡＣＫ信号の受信方法。
【請求項２３】
ＰＨＩＣＨを通してＡＣＫ／ＮＡＣＫ情報を送信する装置であって、
インデックスl'i(i=0,1,2)のＯＦＤＭシンボルのリソースエレメントに前記ＡＣＫ／ＮＡＣＫ情報をマッピングする手段を有し、
前記インデックスl'iのＯＦＤＭシンボルのリソースエレメントは、以下の式（１）
【数１２】
2010519884.tif 000012
（NcellIDはセルＩＤを表し、n'l'iはインデックスl'iのＯＦＤＭシンボル内の利用可能なＲＥＧの個数を表し、n'0はインデックス０のＯＦＤＭシンボル内の利用可能なＲＥＧの個数を表し、m'は前記ＰＨＩＣＨが含まれるＰＨＩＣＨグループに関連するインデックスを表す。）
または、式（２）
【数１３】
2010519884.tif 000013
（NcellIDはセルＩＤを表し、n'l'iはインデックスl'iのＯＦＤＭシンボル内の利用可能なＲＥＧの個数を表し、n'1はインデックス１のＯＦＤＭシンボル内の利用可能なＲＥＧの個数を表し、m'は前記ＰＨＩＣＨが含まれるＰＨＩＣＨグループに関連するインデックスを表す。）
【数１４】
2010519884.tif 000014
【請求項２４】
ＰＨＩＣＨを通じて、送信端からＡＣＫ／ＮＡＣＫ信号を受信する装置であって、
前記送信端から、リソースエレメントを含むＯＦＤＭシンボルを受信する手段を有し、
前記ＡＣＫ／ＮＡＣＫ信号は、ＲＥＧインデックス(i=0,1,2)に対応するリソースエレメントを介して受信され、
【数１５】
2010519884.tif 000015
（NcellIDはセルＩＤを表し、n'l'iはインデックスl'iのＯＦＤＭシンボル内の利用可能なＲＥＧの個数を表し、n'0はインデックス０のＯＦＤＭシンボル内の利用可能なＲＥＧの個数を表し、m'は前記ＰＨＩＣＨが含まれるＰＨＩＣＨグループに関連するインデックスを表す。）
または、式（２）
【数１６】
2010519884.tif 000016
（NcellIDはセルＩＤを表し、n'l'iはインデックスl'iのＯＦＤＭシンボル内の利用可能なＲＥＧの個数を表し、n'1はインデックス１のＯＦＤＭシンボル内の利用可能なＲＥＧの個数を表し、m'は前記ＰＨＩＣＨが含まれるＰＨＩＣＨグループに関連するインデックスを表す。）
のうちのいずれかを用いて与えられることを特徴とする、ＡＣＫ／ＮＡＣＫ信号の受信装置。